(57)【要約】【課題】記録ヘッド同士の間に記録媒体が入り込むのを抑制することが可能なインクジェット記録装置を提供する。【解決手段】プリンター（インクジェット記録装置）１００は、複数の記録ヘッド１７ａ〜１７ｃと、インク吐出面Ｆを所定方向に拭くワイパー３５ａ〜３５ｃを有するワイプユニット１９と、用紙搬送方向において記録ヘッド１７ａ〜１７ｃ同士の間に配置され、用紙Ｐが記録ヘッド１７ａ〜１７ｃ同士の間に進入するのを抑制する進入抑制部材１３１と、を備える。進入抑制部材１３１は、上下方向に移動可能に構成されているとともに、印字動作時に下面１３１ａがインク吐出面Ｆと面一又はインク吐出面Ｆよりも下方に突出する進入抑制位置に配置され、ワイプユニット１９によるワイピング動作時に下面１３１ａがインク吐出面Ｆよりも上方に退避した退避位置に配置される。【選択図】図１７
2019038132.tif 000002
【特許請求の範囲】
【請求項１】
記録媒体上にインクを吐出する吐出ノズルが開口するインク吐出面を有する複数の記録ヘッドと、
前記記録ヘッドの真下の第１位置と前記第１位置から水平方向に退避した第２位置との間を往復移動可能であり、前記第１位置において前記インク吐出面を所定方向に拭くワイピング動作を行うワイパーを有するワイプユニットと、
記録媒体搬送方向において前記記録ヘッド同士の間に配置され、前記記録媒体が前記記録ヘッド同士の間に進入するのを抑制する進入抑制部材と、
を備え、
前記進入抑制部材は、上下方向に移動可能に構成されているとともに、印字動作時に下面が前記インク吐出面と面一又は前記インク吐出面よりも下方に突出する進入抑制位置に配置され、前記ワイプユニットによるワイピング動作時に前記下面が前記インク吐出面よりも上方に退避した退避位置に配置されることを特徴とするインクジェット記録装置。
【請求項２】
前記ワイプユニットの前記第１位置と前記第２位置との間の移動に連動して前記進入抑制部材を前記退避位置と前記進入抑制位置との間で移動させる上下移動機構をさらに備えることを特徴とする請求項１に記載のインクジェット記録装置。
【請求項３】
前記上下移動機構は、前記ワイプユニットと共に前記第１位置と前記第２位置との間を往復移動可能で上面が傾斜したレール部と、前記進入抑制部材を支持するとともに前記レール部の上面に当接して上下方向に移動するコロと、を有することを特徴とする請求項２に記載のインクジェット記録装置。
【請求項４】
前記進入抑制部材を複数有する進入抑制ユニットをさらに備え、
前記コロは、前記進入抑制ユニットのうちの前記第２位置から前記第１位置に向かう第１方向の上流側および下流側にそれぞれ配置される第１コロおよび第２コロを含み、
前記レール部の上面は、前記レール部が前記第１位置に配置された状態で前記第１コロおよび前記第２コロにそれぞれ当接するとともに水平方向に延びる第１水平面および第２水平面と、前記第１水平面および前記第２水平面の間に配置され前記第１方向に向かって下方に傾斜する第１傾斜面と、前記第２水平面の前記第１方向の下流側に配置され前記第１方向に向かって前記第１傾斜面と同じ傾斜角度で下方に傾斜する第２傾斜面と、を有し、
前記第１コロと前記第２コロとの前記第１方向の距離は、前記第１傾斜面の前記第１方向の上流端から前記第２水平面の前記第１方向の下流端までの長さと等しいことを特徴とする請求項３に記載のインクジェット記録装置。
【請求項５】
前記第１コロの回転中心および前記第２コロの回転中心は、同じ高さ位置に配置されており、
前記第２コロの半径は、前記第１コロの半径に前記第１傾斜面の高さを加えた大きさと等しいことを特徴とする請求項４に記載のインクジェット記録装置。
【請求項６】
前記進入抑制部材の下面は、前記記録媒体搬送方向の上流側から下流側に向かって下方に傾斜するように形成されており、
前記進入抑制部材の下面の前記記録媒体搬送方向の上流端は、前記進入抑制部材が前記進入抑制位置に配置された状態で前記インク吐出面よりも上方に配置されていることを特徴とする請求項１〜５のいずれか１項に記載のインクジェット記録装置。
【発明の詳細な説明】
【技術分野】
【０００１】
本発明は、用紙のような記録媒体にインクを吐出する記録ヘッドと、記録ヘッドのインク吐出面を拭くワイパーを有するワイプユニットと、を備えたインクジェット記録装置に関するものである。
【背景技術】
【０００２】
ファクシミリ、複写機、プリンターのような記録装置として、インクを吐出して画像を形成するインクジェット記録装置が、高精細な画像を形成できることから広く用いられている。
【０００３】
従来、インクジェット記録装置では、通常、記録ヘッドの吐出ノズルの乾燥や目詰まりを防止するために、長期間印字を行わない場合に記録ヘッドにキャップをしておく。また、吐出ノズル内で増粘したインクを吐出ノズルから強制的に押出してワイパーで拭き取る回復処理を行うことも一般的である。このため、インクジェット記録装置には、記録媒体へインクを吐出する記録ヘッドと、記録ヘッドにキャップをするキャップユニットと、記録ヘッドの回復処理を行うワイプユニットと、が設けられる。
【０００４】
ワイプユニットのワイパーは、記録ヘッドのインク吐出面に対する拭き残しを防ぐため、インク吐出面の幅よりも大きい幅を有するように形成される。ワイパーが隣接する記録ヘッドのインク吐出面に接触すると、そのインク吐出面が汚れてしまうため、複数の記録ヘッドは、ワイピング方向と直交する方向に互いに所定の間隔を隔てて配置される。
【０００５】
なお、ワイプユニットによって記録ヘッドの回復処理を行うインクジェット記録装置は、例えば特許文献１に開示されている。
【先行技術文献】
【特許文献】
【０００６】
【特許文献１】特開平７−４０５４０号公報
【発明の概要】
【発明が解決しようとする課題】
【０００７】
しかしながら、従来のインクジェット記録装置では、複数の記録ヘッドは互いに所定の間隔を隔てて配置されるので、搬送される記録媒体の先端が記録ヘッド同士の間に入り込み、ジャム（紙詰まり）が発生するという問題点がある。
【０００８】
本発明は、上記のような課題を解決するためになされたものであり、本発明の目的は、記録ヘッド同士の間に記録媒体が入り込むのを抑制することが可能なインクジェット記録装置を提供することである。
【課題を解決するための手段】
【０００９】
上記目的を達成するために、本発明の第１の局面のインクジェット記録装置は、記録媒体上にインクを吐出する吐出ノズルが開口するインク吐出面を有する複数の記録ヘッドと、記録ヘッドの真下の第１位置と第１位置から水平方向に退避した第２位置との間を往復移動可能であり、第１位置においてインク吐出面を所定方向に拭くワイピング動作を行うワイパーを有するワイプユニットと、記録媒体搬送方向において記録ヘッド同士の間に配置され、記録媒体が記録ヘッド同士の間に進入するのを抑制する進入抑制部材と、を備える。進入抑制部材は、上下方向に移動可能に構成されているとともに、印字動作時に下面がインク吐出面と面一又はインク吐出面よりも下方に突出する進入抑制位置に配置され、ワイプユニットによるワイピング動作時に下面がインク吐出面よりも上方に退避した退避位置に配置される。
【発明の効果】
【００１０】
本発明の第１の局面のインクジェット記録装置によれば、記録媒体搬送方向において記録ヘッド同士の間に、記録媒体が記録ヘッド同士の間に進入するのを抑制する進入抑制部材を設け、進入抑制部材は、印字動作時に下面がインク吐出面と面一又はインク吐出面よりも下方に突出する進入抑制位置に配置される。これにより、搬送される記録媒体が記録ヘッド同士の間に進入するのを抑制することができるので、ジャムが発生するのを抑制することができる。
【００１１】
また、進入抑制部材は、上下方向に移動可能に構成されているとともに、ワイプユニットによるワイピング動作時に下面がインク吐出面よりも上方に退避した退避位置に配置される。これにより、ワイピング動作時にワイパーが進入抑制部材に接触するのを抑制することができるので、ワイパーが進入抑制部材により変形して拭き残しが生じるのを抑制することができる。また、進入抑制部材にインク等が付着するのを抑制することができる。
【図面の簡単な説明】
【００１２】
【図１】本発明の一実施形態のプリンターの概略構造を示した図である。
【図２】本発明の一実施形態のプリンターの第１搬送ユニットおよび記録部を上方から示した図である。
【図３】本発明の一実施形態のプリンターの記録部の構造を示した図である。
【図４】本発明の一実施形態のプリンターの記録部のラインヘッドを構成する記録ヘッドの構造を示した図である。
【図５】本発明の一実施形態のプリンターの記録ヘッドをインク吐出面側から示した図である。
【図６】本発明の一実施形態のプリンターのキャップユニットおよび第１搬送ユニット等の構造を示した図であり、第１搬送ユニットが上昇位置に配置された状態を示す図である。
【図７】本発明の一実施形態のプリンターのキャップユニットおよび第１搬送ユニット等の構造を示した図であり、第１搬送ユニットが下降位置に配置された状態を示す図である。
【図８】本発明の一実施形態のプリンターのキャップユニット等の構造を示した図であり、キャップユニットおよびワイプユニットが第１位置に配置された状態を示す図である。
【図９】図８の状態からキャップユニットおよびワイプユニットを上昇させた状態を示す図である。
【図１０】本発明の一実施形態のプリンターのキャップユニットの構造を示した図である。
【図１１】本発明の一実施形態のプリンターのキャップユニットおよびワイプユニット等の構造を示した図であり、キャップユニットが第２位置に配置され、ワイプユニットが第１位置に配置された状態を示す図である。
【図１２】図１１の状態からワイプユニットを上昇させた状態を示す図である。
【図１３】図１２の状態からワイパーキャリッジを矢印Ｂ方向に移動させた状態を示す図である。
【図１４】本発明の一実施形態のプリンターのユニット昇降機構周辺の構造を示す図である。
【図１５】本発明の一実施形態のプリンターの連結ピンおよび押し上げ片周辺の構造を示す図であり、ワイプユニットとキャップユニットとが連結していない状態を示す図である。
【図１６】本発明の一実施形態のプリンターの連結ピンおよび押し上げ片周辺の構造を示す図であり、ワイプユニットとキャップユニットとが連結した状態を示す図である。
【図１７】本発明の一実施形態のプリンターの記録ヘッドおよび進入抑制部材の構造を用紙幅方向から示す図であり、進入抑制部材が進入抑制位置に配置された状態を示す図である。
【図１８】本発明の一実施形態のプリンターの記録ヘッドおよび進入抑制部材の構造を用紙幅方向から示す図であり、進入抑制部材が退避位置に配置された状態を示す図である。
【図１９】本発明の一実施形態のプリンターの進入抑制ユニットの構造を示す図である。
【図２０】本発明の一実施形態のプリンターの進入抑制ユニットの構造を用紙幅方向から示す図である。
【図２１】本発明の一実施形態のプリンターの進入抑制ユニットの位置決め軸部周辺の構造を示す図である。
【図２２】本発明の一実施形態のプリンターの第１コロおよび第２コロ周辺の構造を示す図である。
【図２３】本発明の一実施形態のプリンターの上下移動機構の構造を示す図である。
【図２４】本発明の一実施形態のプリンターの記録部および第１搬送ユニットの構造を示した図であり、第１搬送ユニットが上昇位置に配置された状態を示す図である。
【図２５】本発明の一実施形態のプリンターの記録部およびキャリッジの構造を示す図であり、キャリッジが第１位置に配置された状態を示す図である。
【発明を実施するための形態】
【００１３】
以下、本発明の実施形態について図面を参照して説明する。
【００１４】
図１〜図２５を参照して、本発明の一実施形態のインクジェット式のプリンター１００（インクジェット記録装置）について説明する。図１に示すように、プリンター１００は、プリンター本体１の内部下方に用紙収容部である給紙カセット２ａが配置されている。給紙カセット２ａの内部には、記録媒体の一例である用紙Ｐが収容されている。給紙カセット２ａの用紙搬送方向下流側、すなわち図１における給紙カセット２ａの右側の上方には給紙装置３ａが配置されている。この給紙装置３ａにより、用紙Ｐは図１において給紙カセット２ａの右上方に向け、１枚ずつ分離されて送り出される。
【００１５】
また、プリンター１００はその内部に第１用紙搬送路４ａを備えている。第１用紙搬送路４ａは、給紙カセット２ａに関して言えばその給紙方向である右上方に位置する。給紙カセット２ａから送り出された用紙Ｐは第１用紙搬送路４ａによりプリンター本体１の側面に沿って垂直上方に搬送される。
【００１６】
用紙搬送方向に対し第１用紙搬送路４ａの下流端にはレジストローラー対１３が備えられている。さらにレジストローラー対１３の用紙搬送方向下流側直近には第１搬送ユニット５及び記録部９が配置されている。給紙カセット２ａから送り出された用紙Ｐは第１用紙搬送路４ａを通ってレジストローラー対１３に到達する。レジストローラー対１３は用紙Ｐの斜め送りを矯正しつつ記録部９が実行するインク吐出動作とのタイミングを計り、第１搬送ユニット５に向かって用紙Ｐを送り出す。
【００１７】
用紙搬送方向に対し第１搬送ユニット５の下流側（図１の左側）には第２搬送ユニット１２が配置されている。記録部９にてインク画像が記録された用紙Ｐは第２搬送ユニット１２へと送られ、第２搬送ユニット１２を通過する間に用紙Ｐ表面に吐出されたインクが乾燥される。
【００１８】
用紙搬送方向に対し第２搬送ユニット１２の下流側であってプリンター本体１の左側面近傍にはデカーラー部１４が備えられている。第２搬送ユニット１２にてインクが乾燥された用紙Ｐはデカーラー部１４へと送られ、用紙Ｐに生じたカールが矯正される。
【００１９】
用紙搬送方向に対しデカーラー部１４の下流側（図１の上方）には第２用紙搬送路４ｂが備えられている。デカーラー部１４を通過した用紙Ｐは両面記録を行わない場合、第２用紙搬送路４ｂからプリンター１００の左側面外部に設けられた用紙排出トレイ１５に排出される。
【００２０】
プリンター本体１の上部であって記録部９及び第２搬送ユニット１２の上方には両面記録を行うための反転搬送路１６が備えられている。両面記録を行う場合には第一面への記録が終了して第２搬送ユニット１２及びデカーラー部１４を通過した用紙Ｐが第２用紙搬送路４ｂを通って反転搬送路１６へと送られる。反転搬送路１６へ送られた用紙Ｐは、続いて第二面の記録のために搬送方向が切り替えられ、プリンター本体１の上部を通過して右側に向かって送られ、第１用紙搬送路４ａ、及びレジストローラー対１３を経て第二面を上向きにした状態で再度第１搬送ユニット５へと送られる。
【００２１】
また、第２搬送ユニット１２の下方にはワイプユニット１９及びキャップユニット５０が配置されている。ワイプユニット１９は、後述するパージを実行する際に記録部９の下方に水平移動し、記録ヘッドの吐出ノズルから押出されたインクを拭き取り、拭き取られたインクを回収する。キャップユニット５０は、記録ヘッドのインク吐出面をキャッピングする際に記録部９の下方に水平移動し、さらに上方に移動して記録ヘッドの下面に装着される。
【００２２】
記録部９は図２および図３に示すように、ヘッドハウジング１０と、ヘッドハウジング１０に保持されたラインヘッド１１Ｃ、１１Ｍ、１１Ｙ、及び１１Ｋを備えている。これらのラインヘッド１１Ｃ〜１１Ｋは、駆動ローラー６及び従動ローラー７を含む複数のローラーに張架された第１搬送ベルト８の搬送面に対して所定の間隔（例えば１ｍｍ）が形成されるような高さに支持され、用紙搬送方向（矢印Ａ方向）と直交する用紙幅方向（矢印ＢＢ´方向）に沿って複数（ここでは３個）の記録ヘッド１７ａ〜１７ｃが千鳥状に配列されている。
【００２３】
図４及び図５に示すように、記録ヘッド１７ａ〜１７ｃのインク吐出面Ｆには吐出ノズル１８（図２参照）が多数配列されたノズル領域Ｒが設けられている。なお、記録ヘッド１７ａ〜１７ｃは同一の形状及び構成であるため、図４及び図５では記録ヘッド１７ａ〜１７ｃを一つの図で示している。
【００２４】
各ラインヘッド１１Ｃ〜１１Ｋを構成する記録ヘッド１７ａ〜１７ｃには、それぞれインクタンク（図示せず）に貯留されている４色（シアン、マゼンタ、イエロー及びブラック）のインクがラインヘッド１１Ｃ〜１１Ｋの色毎に供給される。
【００２５】
各記録ヘッド１７ａ〜１７ｃは、プリンター１００全体を制御する制御部１１０（図１参照）からの制御信号により、外部コンピューター等から受信した画像データに応じて、第１搬送ベルト８の搬送面に吸着保持されて搬送される用紙Ｐに向かって吐出ノズル１８からインクを吐出する。これにより、第１搬送ベルト８上の用紙Ｐにはシアン、マゼンタ、イエロー、ブラックの４色のインクが重ね合わされたカラー画像が形成される。
【００２６】
また、記録ヘッド１７ａ〜１７ｃの乾燥や目詰まりによるインクの吐出不良を防止するために、長期間停止後の印字開始時は全ての記録ヘッド１７ａ〜１７ｃの吐出ノズル１８から、また印字動作の合間にはインク吐出量が規定値以下の吐出ノズル１８から、ノズル内の粘度が高くなったインクを押し出すパージを実行して、次の印字動作に備える。
【００２７】
次に、キャップユニット５０およびワイプユニット１９および周辺の構造について詳細に説明する。
【００２８】
第１搬送ユニット５は図６および図７に示すように、収納フレーム７０に収納されている。第１搬送ユニット５は、昇降駆動源およびギア列等からなる搬送昇降機構（図示せず）により上下方向に昇降可能に構成されている。第１搬送ユニット５は、印字動作時には上昇位置（図６の位置）に配置され、記録ヘッド１７ａ〜１７ｃのインク吐出面Ｆに近接している。また、第１搬送ユニット５は、記録ヘッド１７ａ〜１７ｃの後述する回復動作時およびキャッピング動作時には、下降位置（図７の位置）に配置される。
【００２９】
キャップユニット５０は図７および図８に示すように、記録部９の真下の第１位置（図８の位置）と、第１位置から水平方向（矢印Ａ方向）に退避した第２位置（図７の位置）と、の間を往復移動可能に構成されている。なお、キャップユニット５０が第１位置に配置される場合、第１搬送ユニット５は下降位置に配置されている。また、キャップユニット５０は図８および図９に示すように、第１位置において上下方向に昇降可能に構成されている。
【００３０】
キャップユニット５０は、印字動作時および回復動作時には、第２位置（図６の位置）に配置される。キャップユニット５０は、キャッピング動作時には、第１位置（図８および図９の位置）において上方に移動して記録ヘッド１７ａ〜１７ｃにキャッピングを行うように構成されている。なお、キャップユニット５０は後述するように、第２位置においてワイプユニット１９と連結・連結解除可能に構成されており、キャップユニット５０の水平方向および上下方向の移動は、ワイプユニット１９がキャップユニット５０に連結した状態で移動することによって行われる。
【００３１】
キャップユニット５０は図１０に示すように、板金製のキャップトレイ５１と、キャップトレイ５１の用紙幅方向（矢印ＢＢ´方向）両端に形成された一対のトレイ側板５２と、キャップトレイ５１の上面に配置される凹状の１２個のキャップ部５３と、４個の高さ方向位置決め突起５４と、を含んでいる。
【００３２】
キャップ部５３は、記録ヘッド１７ａ〜１７ｃに対応する位置に配置されている。これにより、図９に示すように第１位置においてキャップユニット５０が上方に移動することによって、各キャップ部５３が各記録ヘッド１７ａ〜１７ｃのインク吐出面Ｆのキャップを行う。高さ方向位置決め突起５４は、記録ヘッド１７ａ〜１７ｃのキャップを行うためにキャップユニット５０を記録部９側に上昇させたとき、記録部９のハウジング１０に当接することでキャップトレイ５１の高さ方向の位置決めを行う。キャップ部５３の長手方向（矢印ＢＢ´方向）両端の下部とキャップトレイ５１との間には、圧縮バネからなるキャップバネ５５が配置されている。キャップバネ５５によって、キャップ部５３とインク吐出面Ｆとの接触状態が一定に保持される。
【００３３】
ワイプユニット１９は図７および図１１に示すように、記録部９の真下の第１位置（図１１の位置）と、第１位置から水平方向（矢印Ａ方向）に退避した第２位置（図７の位置）と、の間を往復移動可能に構成されている。なお、ワイプユニット１９が第１位置に配置される場合、第１搬送ユニット５は下降位置に配置されている。また、ワイプユニット１９は図１１および図１２に示すように、第１位置において上下方向に昇降可能に構成されている。
【００３４】
ワイプユニット１９は、印字動作時には、第２位置に配置される。ワイプユニット１９は、回復動作時およびキャッピング動作時には、第１位置（図１１の位置）において上方に移動するように構成されている。
【００３５】
ワイプユニット１９は図１２および図１３に示すように、複数のワイパー３５ａ〜３５ｃが固定された略矩形状のワイパーキャリッジ３１と、ワイパーキャリッジ３１を支持する支持フレーム４０とで構成されている。
【００３６】
支持フレーム４０の上面の矢印ＡＡ´方向に対向する端縁にはレール部４１ａ、４１ｂが形成されており、ワイパーキャリッジ３１の四隅に設けられたコロ３６がレール部４１ａ、４１ｂに当接することで、ワイパーキャリッジ３１は支持フレーム４０に対し矢印ＢＢ´方向に摺動可能に支持される。
【００３７】
支持フレーム４０の外側には、ワイパーキャリッジ３１を水平方向（矢印ＢＢ´方向）に移動させるためのワイパーキャリッジ移動モーター４５と、ワイパーキャリッジ移動モーター４５およびワイパーキャリッジ３１のラック歯（図示せず）に係合するギア列（図示せず）と、が取り付けられている。ワイパーキャリッジ移動モーター４５が正逆回転することにより、ギア列が正逆回転し、ワイパーキャリッジ３１が水平方向（矢印ＢＢ´方向）に往復移動する。
【００３８】
ワイパー３５ａ〜３５ｃは、各記録ヘッド１７ａ〜１７ｃの吐出ノズル１８から押し出されたインクを拭き取るための弾性部材（例えばＥＰＤＭからなるゴム製の部材）である。各ワイパー３５ａ〜３５ｃは、インク吐出面Ｆに対する拭き残しを防ぐため、インク吐出面Ｆの幅（矢印ＡＡ´方向の長さ）よりも大きい幅を有するように形成されている。ワイパー３５ａ〜３５ｃは、吐出ノズル１８のノズル面が露出するノズル領域Ｒ（図５参照）の外側の拭き取り開始位置に略垂直方向から圧接され、ワイパーキャリッジ３１の移動によりノズル領域Ｒを含むインク吐出面Ｆを所定方向（図１２の矢印Ｂ方向）に拭き取る。
【００３９】
４枚のワイパー３５ａは略等間隔で配置されており、同様に、４枚のワイパー３５ｂおよび４枚のワイパー３５ｃもそれぞれ略等間隔で配置されている。ワイパー３５ａ、３５ｃは、それぞれ各ラインヘッド１１Ｃ〜１１Ｋを構成する記録ヘッド１７ａ、１７ｃ（図３参照）に対応する位置に配置されている。また、ワイパー３５ｂは、各ラインヘッド１１Ｃ〜１１Ｋを構成する記録ヘッド１７ｂ（図３参照）に対応する位置に配置されており、ワイパー３５ａ、３５ｃに対しワイパーキャリッジ３１の移動方向と直交する方向（矢印ＡＡ´方向）に所定距離だけずらして固定されている。
【００４０】
支持フレーム４０の上面には、ワイパー３５ａ〜３５ｃによってインク吐出面Ｆから拭き取られた廃インクを回収するためのインク回収トレイ４４が配置されている。インク回収トレイ４４の略中央部には、インク排出孔（図示せず）が形成されており、インク排出孔を挟んで両側のトレイ面４４ａ、４４ｂは、インク排出孔に向かって下り勾配となっている。ワイパー３５ａ〜３５ｃによってインク吐出面Ｆから拭き取られ、トレイ面４４ａ、４４ｂに落下した廃インクはインク排出孔（図示せず）に向かって流れる。その後、インク排出孔に連結されたインク回収路（図示せず）を通って廃インク回収タンク（図示せず）に回収される。
【００４１】
また、ワイプユニット１９は図７に示すように、断面コの字状のキャリッジ８０に収納されているとともに、第２位置においてキャップユニット５０の下方に配置される。ワイプユニット１９は、図７および図１１に示すように水平方向（矢印ＡＡ´方向）に移動する場合にはキャリッジ８０と一体で移動し、図１１および図１２に示すように上下方向に移動する場合にはキャリッジ８０に対して上下方向に移動する。
【００４２】
キャリッジ８０は、ワイプユニット１９が載置される板金製のキャリッジ底板８１（図１４参照）と、キャリッジ底板８１の用紙幅方向（矢印ＢＢ´方向）両端に立設された一対のキャリッジ側板８２と、によって構成されている。キャリッジ側板８２は、プリンター本体１のキャリッジ支持レール（図示せず）に対して摺動可能に構成されている。キャリッジ側板８２の上面には図１４に示すように、ラック歯を有するラック部８２ａが形成されている。ラック部８２ａにはギア８５ａが係合しており、ギア８５ａを含むギア列は、モーターからなるキャリッジ駆動源（図示せず）に繋がっている。キャリッジ駆動源が正逆回転することにより、ギア列が正逆回転し、キャリッジ８０が第１位置と第２位置との間を往復移動する。なお、ギア８５ａを含むギア列およびキャリッジ駆動源によって、キャップユニット５０およびワイプユニット１９を水平方向に移動させるユニット水平移動機構８５が構成されている。
【００４３】
キャリッジ８０の内部には図１４に示すように、ワイプユニット１９を上下方向に昇降させるユニット昇降機構６０が設けられている。ユニット昇降機構６０は、ワイヤー６１ａおよび６１ｂと、ワイヤー６１ａおよび６１ｂを巻き取る巻き取りプーリー６２と、ワイヤー６１ａおよび６１ｂの方向を変換するプーリー６３ａおよび６３ｂと、巻き取り駆動モーター（巻き取り駆動源）６４と、を含んでいる。
【００４４】
ワイヤー６１ａは、巻き取りプーリー６２からプーリー６３ａを介してワイプユニット１９の矢印Ａ´方向の下部に取り付けられている。ワイヤー６１ｂは、巻き取りプーリー６２からプーリー６３ａおよび６３ｂを介してワイプユニット１９の矢印Ａ方向の下部に取り付けられている。ワイヤー６１ａおよび６１ｂ、巻き取りプーリー６２、プーリー６３ａおよび６３ｂのそれぞれは、矢印ＢＢ´方向の両側（図１４の紙面に対して手前側および奥側）に１つずつ設けられている。一対の巻き取りプーリー６２は、１つの回転軸６５の両端に固定されている。回転軸６５には、巻き取り駆動モーター６４に繋がるギア列（図示せず）に係合する回転軸ギア（図示せず）が固定されている。巻き取り駆動モーター６４が正逆回転することにより、巻き取りプーリー６２が正逆回転する。
【００４５】
また、ワイプユニット１９には図１４および図１５に示すように、上方に延びる複数の連結ピン４２が設けられている。キャップユニット５０のトレイ側板５２の下面には、連結ピン４２に対応する位置に連結穴５２ａ（図１５参照）が形成されている。連結ピン４２および連結穴５２ａによって、キャップユニット５０とワイプユニット１９とを連結または連結解除する連結機構が構成されている。
【００４６】
ワイプユニット１９が第２位置において下降した状態（図１４の状態、第１の高さ位置に配置された状態）では、図１５に示すように連結ピン４２は連結穴５２ａに挿入されず、ワイプユニット１９とキャップユニット５０とは連結していない（連結が解除されている）。その一方、ワイプユニット１９が第２位置において上昇する（第１の高さ位置よりも高い第２の高さ位置に配置される）と、図１６に示すように連結ピン４２が連結穴５２ａに挿入され、ワイプユニット１９とキャップユニット５０とが連結する。これにより、キャップユニット５０は、ワイプユニット１９と一体になり、水平方向および上下方向への移動が可能となる。
【００４７】
なお、第２位置には、ワイプユニット１９とキャップユニット５０とが連結していない状態（連結が解除された状態）でキャップユニット５０を支持するキャップ支持部（図示せず）が設けられている。また、第２位置には、ワイプユニット１９とキャップユニット５０とが連結していない状態（キャッピング動作時以外（印字動作時および回復動作時）の状態）でキャップユニット５０のキャップ部５３に密着してキャップ部５３を保護する蓋部材（図示せず）が設けられている。蓋部材（図示せず）は、キャップ部５３に上方から密着することによって、キャップ部５３の上面（インク吐出面Ｆに密着する面）に埃や紙粉等の異物が付着するのを防止するとともに、キャップ部５３の内部の水分が蒸発して無くなるのを抑制する。
【００４８】
次に、記録ヘッド１７ａ〜１７ｃ周辺の構造について詳細に説明する。
【００４９】
図２および図３に示すように、記録ヘッド１７ａおよび１７ｃと記録ヘッド１７ｂとは、ワイピング方向（ワイパー３５ａ〜３５ｃによる拭き取り方向）と直交する用紙搬送方向（矢印Ａ方向）に所定の間隔を隔てて配置されている。図１７および図１８に示すように、用紙搬送方向において記録ヘッド１７ａおよび１７ｃと記録ヘッド１７ｂとの間には、用紙Ｐの先端が記録ヘッド１７ａおよび１７ｃと記録ヘッド１７ｂとの間に進入するのを抑制する進入抑制部材１３１が配置されている。
【００５０】
進入抑制部材１３１は、上下方向に移動可能に構成されている。進入抑制部材１３１は、印字動作時に下面１３１ａがインク吐出面Ｆと面一又はインク吐出面Ｆよりも下方に突出する進入抑制位置（図１７の位置）に配置され、ワイプユニット１９によるワイピング動作時に下面１３１ａがインク吐出面Ｆよりも上方に退避した退避位置（図１８の位置）に配置される。例えば、進入抑制部材１３１は、印字動作時には下面１３１ａがインク吐出面Ｆよりも約０．４ｍｍ下方に突出するように配置され、ワイピング動作時には下面１３１ａがインク吐出面Ｆよりも約１ｍｍ以上（ここでは、約２．２ｍｍ）上方に位置するように配置される。
【００５１】
進入抑制部材１３１の下面１３１ａは、用紙搬送方向の上流側から下流側に向かって下方に傾斜するように形成されている。下面１３１ａの用紙搬送方向の上流端１３１ｂは、進入抑制部材１３１が進入抑制位置（図１７の位置）に配置された状態でインク吐出面Ｆよりも上方に配置される。下面１３１ａの用紙搬送方向の下流端１３１ｃは、進入抑制部材１３１が進入抑制位置に配置された状態でインク吐出面Ｆよりも下方に配置される。
【００５２】
複数の進入抑制部材１３１は図１９に示すように、長手方向（矢印ＢＢ´方向）の両端が一対のステー１３２に固定されている。一対のステー１３２の一方端（図１９の右端）は、連結軸１３３によって連結されている。また、進入抑制部材１３１の両端部には、複数の支持板金１３４が固定されている。これら進入抑制部材１３１、ステー１３２、連結軸１３３および支持板金１３４によって、進入抑制ユニット１３０が構成されている。
【００５３】
各支持板金１３４の上面には図１９および図２０に示すように、記録ヘッド１７ａ〜１７ｃに対して水平方向に位置決めされる円筒状の位置決め軸部１３５が設けられている。位置決め軸部１３５は図２１に示すように、記録部９のヘッドハウジング１０に形成された軸挿入部１０ａに挿入され、水平方向に位置決めされている。位置決め軸部１３５の内部には、支持板金１３４を常時下方に付勢する圧縮コイルバネからなる付勢部材１３６が設けられている。位置決め軸部１３５の外周面には、Ｃリング１３７が取り付けられている。Ｃリング１３７が軸挿入部１０ａの上面に当接することによって、進入抑制ユニット１３０がヘッドハウジング１０から抜け落ちるのを防止している。なお、進入抑制ユニット１３０には、第１搬送ユニット５のステーに当接して進入抑制部材１３１の進入抑制位置を規定する当接部（図示せず）が設けられている。
【００５４】
進入抑制ユニット１３０は、上下移動機構１４０（図２３参照）によって上下方向に移動される。上下移動機構１４０は、ワイプユニット１９の第２位置から第１位置への移動に連動して進入抑制ユニット１３０を進入抑制位置から退避位置に移動させ、ワイプユニット１９の第１位置から第２位置への移動に連動して進入抑制ユニット１３０を退避位置から進入抑制位置に移動させる。
【００５５】
具体的には、上下移動機構１４０は図２２および図２３に示すように、ワイプユニット１９と共に第１位置と第２位置との間を往復移動可能で上面１４１ａが傾斜した一対のレール部１４１と、進入抑制ユニット１３０を支持するとともにレール部１４１の上面１４１ａに当接して上下方向に移動する一対の第１コロ１４５および一対の第２コロ１４６と、によって構成されている。レール部１４１、第１コロ１４５および第２コロ１４６は、用紙幅方向（矢印ＢＢ´方向）の両側に１つずつ設けられている。
【００５６】
第１コロ１４５および第２コロ１４６は、進入抑制ユニット１３０のステー１３２のうちの第２位置から第１位置に向かう第１方向（矢印Ａ´方向）の上流側および下流側にそれぞれ取り付けられている。
【００５７】
レール部１４１は、キャリッジ８０のラック部８２ａよりも用紙幅方向内側に設けられている。レール部１４１の上面１４１ａは図２３に示すように、互いに所定の間隔を隔てて配置され水平方向に延びる第１水平面１４１ｂ、第２水平面１４１ｄおよび第３水平面１４１ｆと、第１水平面１４１ｂおよび第２水平面１４１ｄの間に配置され第１方向（矢印Ａ´方向）に向かって下方に傾斜する第１傾斜面１４１ｃと、第２水平面１４１ｄおよび第３水平面１４１ｆの間に配置され（第２水平面１４１ｄの第１方向（矢印Ａ´方向）に配置され）第１方向に向かって下方に傾斜する第２傾斜面１４１ｅと、を有する。
【００５８】
第１水平面１４１ｂおよび第２水平面１４１ｄは、レール部１４１が第１位置に配置された状態（図２３の状態）で第１コロ１４５および第２コロ１４６にそれぞれ当接し、進入抑制ユニット１３０を所定の高さ位置に保持する。第２水平面１４１ｄおよび第３水平面１４１ｆは、レール部１４１が第２位置に配置された状態で第１コロ１４５の最下端および第２コロ１４６の最下端とそれぞれ同じ高さ位置に配置される。
【００５９】
第１傾斜面１４１ｃおよび第２傾斜面１４１ｅは、互いに同じ傾斜角度に形成されている。また、第１傾斜面１４１ｃおよび第２傾斜面１４１ｅは、互いに同じ高さＨ１、および互いに同じ第１方向の長さに形成されている。
【００６０】
第１コロ１４５と第２コロ１４６との第１方向の距離Ｌ１は、第１傾斜面１４１ｃの第１方向の上流端から第２水平面１４１ｄの第１方向の下流端までの長さＬ２と等しくなっている。また、第１コロ１４５と第２コロ１４６との第１方向の距離Ｌ１は、第２水平面１４１ｄの第１方向の上流端から第２傾斜面１４１ｅの第１方向の下流端までの長さＬ３（＝Ｌ２）と等しくなっている。
【００６１】
第１コロ１４５の回転中心Ｏ１４５および第２コロ１４６の回転中心Ｏ１４６は、同じ高さ位置に配置されている。第２コロ１４６の半径ｒ１４６は、第１コロ１４５の半径ｒ１４５に第１傾斜面１４１ｃの高さＨ１を加えた大きさと等しくなっている。
【００６２】
次に、本実施形態のプリンター１００における記録ヘッド１７ａ〜１７ｃの回復動作について説明する。なお、以下で説明する回復動作およびキャッピング動作は、制御部１１０（図１参照）からの制御信号により記録ヘッド１７ａ〜１７ｃ、ワイプユニット１９、ユニット昇降機構６０、ユニット水平移動機構８５、搬送昇降機構、各駆動源等の動作を制御することによって実行される。
【００６３】
ワイプユニット１９により記録ヘッド１７ａ〜１７ｃの回復処理を行う場合、図６および図２４の状態から、図７に示すように記録部９（図１参照）の下面に対向配置されている第１搬送ユニット５を下降させる。このとき、ワイプユニット１９は第１の高さ位置に配置されており、ワイプユニット１９とキャップユニット５０とは連結されていない。また、進入抑制部材１３１は図１７に示すように進入抑制位置に配置されており、下面１３１ａはインク吐出面Ｆよりも下方に突出している。
【００６４】
そして、図１１および図２５に示すように、キャップユニット５０を第２位置に残した状態でキャリッジ８０を第２位置から第１位置に水平移動させることによって、ワイプユニット１９を第１の高さ位置で第２位置から第１位置に水平移動させる。
【００６５】
このとき、第１コロ１４５および第２コロ１４６は、第２水平面１４１ｄおよび第３水平面１４１ｆ上をそれぞれ回転した後、同時に第１傾斜面１４１ｃおよび第２傾斜面１４１ｅ上にそれぞれ移動する。そして、第１コロ１４５および第２コロ１４６は、第１傾斜面１４１ｃおよび第２傾斜面１４１ｅ上をそれぞれ回転した後、同時に第１水平面１４１ｂおよび第２水平面１４１ｄ上にそれぞれ移動する。これにより、進入抑制ユニット１３０は、水平状態を維持しながら進入抑制位置（図１７の位置）から退避位置（図１８の位置）に移動する。また、進入抑制部材１３１の下面１３１ａはインク吐出面Ｆよりも上方に配置される。
【００６６】
そして、ユニット昇降機構６０により、図１２に示すようにワイプユニット１９を上昇させる。これにより、ワイプユニット１９のワイパー３５ａ〜３５ｃを、記録ヘッド１７ａ〜１７ｃのインク吐出面Ｆの拭き取り開始位置に圧接する。
【００６７】
そして、ワイピング動作に先立って、インクを記録ヘッド１７ａ〜１７ｃに供給する。供給されたインクは吐出ノズル１８（図２参照）から強制的に押出（パージ）される。このパージ動作により、吐出ノズル１８内の増粘インク、異物や気泡が排出される。このとき、パージインクは吐出ノズル１８の存在するノズル領域Ｒ（図５参照）の形状に沿ってインク吐出面Ｆに押出される。
【００６８】
その後、インク吐出面Ｆに押出されたインク（パージインク）を拭き取るワイピング動作を行う。具体的には、図１２に示した状態からワイパーキャリッジ移動モーター４５を正回転することにより、図１３に示すようにワイパーキャリッジ３１が矢印Ｂ方向に水平移動し、ワイパー３５ａ〜３５ｃが記録ヘッド１７ａ〜１７ｃのインク吐出面Ｆに押出されたインクを拭き取る。ワイパー３５ａ〜３５ｃにより拭き取られた廃インクはワイプユニット１９内に配置されたインク回収トレイ４４に回収される。
【００６９】
その後、ユニット昇降機構６０（図１４参照）により図１１に示すようにワイプユニット１９を第１の高さ位置まで下降させることによって、ワイパー３５ａ〜３５ｃを記録ヘッド１７ａ〜１７ｃのインク吐出面Ｆから下方に離間させる。その後、ワイパーキャリッジ３１を拭き取り方向と逆方向（矢印Ｂ´方向）に移動し、ワイプユニット１９を元の状態に戻す。
【００７０】
そして、第１位置に配置されたキャリッジ８０およびワイプユニット１９を第１位置から第２位置に水平移動させる。これにより、ワイプユニット１９がキャップユニット５０の下方に配置される。
【００７１】
このとき、第１コロ１４５および第２コロ１４６は、第１水平面１４１ｂおよび第２水平面１４１ｄ上をそれぞれ回転した後、同時に第１傾斜面１４１ｃおよび第２傾斜面１４１ｅ上にそれぞれ移動する。そして、第１コロ１４５および第２コロ１４６は、第１傾斜面１４１ｃおよび第２傾斜面１４１ｅ上をそれぞれ回転した後、同時に第２水平面１４１ｄおよび第３水平面１４１ｆ上にそれぞれ移動する。これにより、進入抑制ユニット１３０は、水平状態を維持しながら退避位置から進入抑制位置に移動する。また、進入抑制部材１３１の下面１３１ａは、インク吐出面Ｆよりも下方に突出するように配置される。
【００７２】
このようにして、記録ヘッド１７ａ〜１７ｃの回復動作を終了する。
【００７３】
次に、本実施形態のプリンター１００における記録ヘッド１７ａ〜１７ｃにキャップユニット５０を装着する動作（キャッピング動作）について説明する。
【００７４】
キャップユニット５０により記録ヘッド１７ａ〜１７ｃにキャップを行う場合、図６および図２４の状態から、図７に示すように記録部９（図１参照）の下面に対向配置されている第１搬送ユニット５を下降させる。このとき、ワイプユニット１９は第１の高さ位置に配置されており、ワイプユニット１９とキャップユニット５０とは連結されていない。また、進入抑制部材１３１は図１７に示すように進入抑制位置に配置されており、下面１３１ａはインク吐出面Ｆよりも下方に突出している。
【００７５】
そして、ユニット昇降機構６０（図１４参照）により、ワイプユニット１９を第１の高さ位置から第２の高さ位置に上昇させる。これにより、図１６に示すように連結ピン４２が連結穴５２ａに挿入され、ワイプユニット１９とキャップユニット５０とが連結する。
【００７６】
その後、図８に示すように、キャリッジ８０を第２位置から第１位置に水平移動させることによって、キャップユニット５０がワイプユニット１９の上面に連結した状態で第２位置から第１位置に水平移動する。
【００７７】
このとき、第１コロ１４５および第２コロ１４６は、上記回復処理時と同様にしてレール部１４１の上面１４１ａ上を移動する。これにより、進入抑制ユニット１３０は水平状態を維持しながら進入抑制位置から退避位置に移動し、進入抑制部材１３１の下面１３１ａはインク吐出面Ｆよりも上方に配置される。
【００７８】
そして、ユニット昇降機構６０により、図９に示すようにワイプユニット１９およびキャップユニット５０を上昇させる。キャップユニット５０のキャップ部５３が記録ヘッド１７ａ〜１７ｃのインク吐出面Ｆに密着した時点で巻き取り駆動モーター６４（図１４参照）の回転を停止させることによって、キャップユニット５０の記録ヘッド１７ａ〜１７ｃに対するキャップが完了する。
【００７９】
なお、記録ヘッド１７ａ〜１７ｃに対するキャップを止める場合（印字動作または回復動作に移行する場合）は、上記とは逆の動作を行うため、簡単に説明する。
【００８０】
第１位置においてユニット昇降機構６０により、ワイプユニット１９が第２の高さ位置になるまで、ワイプユニット１９およびキャップユニット５０を下降させる。これにより、キャップ部５３がインク吐出面Ｆから離間する。そして、キャリッジ８０を第１位置から第２位置に水平移動させることによって、ワイプユニット１９とキャップユニット５０とが連結した状態で第２位置に配置される。
【００８１】
このとき、第１コロ１４５および第２コロ１４６は、上記回復処理時と同様にしてレール部１４１の上面１４１ａ上を移動する。これにより、進入抑制ユニット１３０は水平状態を維持しながら退避位置から進入抑制位置に移動し、進入抑制部材１３１の下面１３１ａはインク吐出面Ｆよりも下方に突出するように配置される。
【００８２】
その後、第２位置においてユニット昇降機構６０によりワイプユニット１９を第２の高さ位置から第１の高さ位置に下降させる。これにより、連結ピン４２が連結穴５２ａから抜け、ワイプユニット１９とキャップユニット５０との連結が解除する。
【００８３】
本実施形態では、上記のように、用紙搬送方向において記録ヘッド１７ａおよび１７ｃと記録ヘッド１７ｂとの間に、用紙Ｐが記録ヘッド１７ａおよび１７ｃと記録ヘッド１７ｂとの間に進入するのを抑制する進入抑制部材１３１を設け、進入抑制部材１３１は、印字動作時に下面１３１ａがインク吐出面Ｆと面一又はインク吐出面Ｆよりも下方に突出する進入抑制位置に配置される。これにより、搬送される用紙Ｐが記録ヘッド１７ａおよび１７ｃと記録ヘッド１７ｂとの間に進入するのを抑制することができるので、ジャム（紙詰まり）が発生するのを抑制することができる。
【００８４】
また、進入抑制部材１３１は、ワイプユニット１９によるワイピング動作時に下面１３１ａがインク吐出面Ｆよりも上方に退避した退避位置に配置される。これにより、ワイピング動作時にワイパー３５ａ〜３５ｃが進入抑制部材１３１に接触するのを抑制することができるので、ワイパー３５ａ〜３５ｃが進入抑制部材１３１により変形して拭き残しが生じるのを抑制することができる。また、進入抑制部材１３１にインク等が付着するのを抑制することができる。
【００８５】
また、上記のように、ワイプユニット１９の第１位置と第２位置との間の移動に連動して進入抑制部材１３１を退避位置と進入抑制位置との間で移動させる上下移動機構１４０を設ける。これにより、進入抑制部材１３１を上下方向に移動させるための駆動源を別途設けることなく、印字動作時に進入抑制部材１３１を進入抑制位置に配置することができるとともに、ワイピング動作時に進入抑制部材１３１を退避位置に配置することができる。
【００８６】
また、上記のように、上下移動機構１４０は、ワイプユニット１９と共に第１位置と第２位置との間を往復移動可能で上面１４１ａが傾斜したレール部１４１と、進入抑制部材１３１を支持するとともにレール部１４１の上面１４１ａに当接して上下方向に移動する第１コロ１４５および第２コロ１４６と、を有する。これにより、ワイプユニット１９の第１位置と第２位置との間の移動に連動して進入抑制部材１３１を退避位置と進入抑制位置との間で容易に移動させることができる。
【００８７】
また、上記のように、第１コロ１４５と第２コロ１４６との第１方向の距離Ｌ１は、第１傾斜面１４１ｃの第１方向の上流端から第２水平面１４１ｄの第１方向の下流端までの長さＬ２と等しい。これにより、進入抑制ユニット１３０を、容易に、水平状態を維持しながら上下方向に移動させることができる。
【００８８】
また、上記のように、第２コロ１４６の半径ｒ１４６は、第１コロ１４５の半径ｒ１４５に第１傾斜面１４１ｃの高さＨ１を加えた大きさと等しい。これにより、進入抑制ユニット１３０を、より容易に、水平状態を維持しながら上下方向に移動させることができる。
【００８９】
また、上記のように、進入抑制部材１３１の下面１３１ａの上流端１３１ｂは、進入抑制部材１３１が進入抑制位置に配置された状態でインク吐出面Ｆよりも上方に配置されている。これにより、搬送される用紙Ｐが進入抑制部材１３１に引っ掛かるのを容易に抑制することができる。
【００９０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９１】
例えば、上記実施形態では、レール部１４１の第２傾斜面１４１ｅの第１方向（矢印Ａ´方向）の下流側に第３水平面１４１ｆを設ける例について示したが、第３水平面１４１ｆを設けなくてもよい。この場合、第２傾斜面１４１ｅを第１方向の下流側にさらに延ばして形成してもよい。
【００９２】
また、上記実施形態では、ワイプユニット１９の移動に連動して進入抑制ユニット１３０を移動させる上下移動機構１４０を設ける例について示したが、本発明はこれに限らない。例えば、モーターやソレノイド等の駆動源を用いることによって、ワイプユニット１９を第１位置と第２位置との間で移動させてもよい。
【符号の説明】
【００９３】
１７ａ〜１７ｃ  記録ヘッド
１８  吐出ノズル
１９  ワイプユニット
３５ａ〜３５ｃ  ワイパー
１００  プリンター（インクジェット記録装置）
１３０  進入抑制ユニット
１３１  進入抑制部材
１３１ａ  下面
１３１ｂ  上流端
１４０  上下移動機構
１４１  レール部
１４１ａ  上面
１４１ｂ  第１水平面
１４１ｃ  第１傾斜面
１４１ｄ  第２水平面
１４１ｅ  第２傾斜面
１４５  第１コロ（コロ）
１４６  第２コロ（コロ）
Ｆ  インク吐出面
Ｈ１  高さ
Ｌ１  距離
Ｌ２  長さ
Ｏ１４５、Ｏ１４６  回転中心
Ｐ  用紙（記録媒体）
ｒ１４５、ｒ１４６  半径
【図１】
2019038132.tif 000003
【図２】
2019038132.tif 000004
【図３】
2019038132.tif 000005
【図４】
2019038132.tif 000006
【図５】
2019038132.tif 000007
【図６】
2019038132.tif 000008
【図７】
2019038132.tif 000009
【図８】
2019038132.tif 000010
【図９】
2019038132.tif 000011
【図１０】
2019038132.tif 000012
【図１１】
2019038132.tif 000013
【図１２】
2019038132.tif 000014
【図１３】
2019038132.tif 000015
【図１４】
2019038132.tif 000016
【図１５】
2019038132.tif 000017
【図１６】
2019038132.tif 000018
【図１７】
2019038132.tif 000019
【図１８】
2019038132.tif 000020
【図１９】
2019038132.tif 000021
【図２０】
2019038132.tif 000022
【図２１】
2019038132.tif 000023
【図２２】
2019038132.tif 000024
【図２３】
2019038132.tif 000025
【図２４】
2019038132.tif 000026
【図２５】
2019038132.tif 000027